(57)【特許請求の範囲】
【請求項１】
洗濯槽を収容し、その洗濯槽に対して洗濯物出し入れ用の開口部を有する外筐と、
この外筐に前記開口部を開閉するように設けられた蓋と、
この蓋に設けられ、該蓋の閉鎖時に前記外筐の内部に進入せられる係合部と、
前記外筐の内部に設けられ、電気的駆動源を有する駆動手段、及びその駆動手段により駆動せられて前記外筐の内部に進入した前記係合部と係合することにより前記蓋を閉鎖状態に拘束する拘束体を有するロック装置と、
このロック装置の前記拘束体の駆動に応じて該拘束体が前記係合部と係合する位置で作動せられるロック検知手段と、
前記係合部の前記外筐の内部への進入に応動する蓋閉鎖検知レバーと、
この蓋閉鎖検知レバーにより前記係合部が前記拘束体に拘束せられる位置で作動せられる蓋閉鎖検知接点とを具備し、
その蓋閉鎖検知接点と前記ロック装置の電気的駆動源とを直列に接続することにより、蓋の未閉鎖状態では前記ロック装置の電気的駆動源への通電が行われないようにしたことを特徴とする洗濯機。
【請求項２】
ロック装置の電気的駆動源をモータとしたことを特徴とする請求項１記載の洗濯機。
【請求項３】
蓋閉鎖検知接点とロック装置の電気的駆動源との直列接続路に、その電気的駆動源が作動しない程度の微電流を流すことによって、蓋の閉鎖状態の確認をすることを特徴とする請求項１又は２記載の洗濯機。
【請求項４】
蓋の開放時に、拘束体の先端部と係合部の先端部とが、そのうちの少なくとも一方に形成した斜面部で対向することを特徴とする請求項１ないし３のいずれかに記載の洗濯機。
【請求項５】
蓋閉鎖検知レバーが、先端部と支点部との間に液体の進入を阻止する堤部を有することを特徴とする請求項１ないし４のいずれかに記載の洗濯機。
【請求項６】
拘束体がロック装置の電気的駆動源の回転運動を拘束体の直線運動に変換する受け部を有し、この受け部の一部に切欠部を形成して、該受け部に摺接する前記ロック装置の授動部がその切欠部に達したときに、拘束体が授動部による規制から解放されてスプリングの付勢力により係合部と係合する位置に急進することを特徴とする請求項１ないし５のいずれかに記載の洗濯機。
【請求項７】
拘束体がロック装置の電気的駆動源の回転運動を拘束体の直線運動に変換する受け部を有し、この受け部に、該受け部に摺接するロック装置の授動部の移動軌跡に沿う円弧部を形成したことを特徴とする請求項１ないし５のいずれかに記載の洗濯機。
【発明の詳細な説明】
【技術分野】
【０００１】
本発明は、蓋のロック構造に改良を加えた洗濯機に関する。
【背景技術】
【０００２】
従来より、洗濯機においては、洗濯槽を収容する外筐が有する洗濯物出し入れ用の開口部を蓋により開閉するようにしていて、運転中には、安全のため、閉鎖したその蓋を閉鎖状態に拘束（ロック）するようになっている。
しかして、その場合、一般には、蓋の閉鎖を検知する例えばリードスイッチから成る蓋スイッチが設けられ、その蓋スイッチによる検知信号がマイクロコンピュータ等から成る制御装置に入力され、それに基づいて、制御装置がロック装置のソレノイドやモータから成る電気的駆動源を作動させることにより、蓋を閉鎖状態に拘束するようになっている（例えば特許文献１参照）。
【特許文献１】特開２００４−３４４２９４号公報
【発明の開示】
【発明が解決しようとする課題】
【０００３】
上記従来のものの場合、ロック装置の電気的駆動源は、蓋スイッチの作動（蓋の閉鎖検知）に基づいて、マイクロコンピュータ等から成る制御装置により作動せられるもので、その制御装置が誤動作したときには、蓋スイッチの状態に関係なく作動せられる。このため、蓋が閉鎖されていないにも拘らず、ロック装置が作動してしまって、その後に蓋が閉鎖されたとき、既に作動したロック装置に干渉されて蓋を閉鎖状態に拘束できないということがあった。
【０００４】
本発明は上述の事情に鑑みてなされたものであり、従ってその目的は、蓋が閉鎖されていないときにロック装置が作動してしまうことのないようにし得る洗濯機を提供するにある。
【課題を解決するための手段】
【０００５】
上記目的を達成するために、本発明の洗濯機においては、洗濯槽を収容し、その洗濯槽に対して洗濯物出し入れ用の開口部を有する外筐と、この外筐に前記開口部を開閉するように設けられた蓋と、この蓋に設けられ、該蓋の閉鎖時に前記外筐の内部に進入せられる係合部と、前記外筐の内部に設けられ、電気的駆動源を有する駆動手段、及びその駆動手段により駆動せられて前記外筐の内部に進入した前記係合部と係合することにより前記蓋を閉鎖状態に拘束する拘束体を有するロック装置と、このロック装置の前記拘束体の駆動に応じて該拘束体が前記係合部と係合する位置で作動せられるロック検知手段と、前記係合部の前記外筐の内部への進入に応動する蓋閉鎖検知レバーと、この蓋閉鎖検知レバーにより前記係合部が前記拘束体に拘束せられる位置で作動せられる蓋閉鎖検知接点とを具備し、その蓋閉鎖検知接点と前記ロック装置の電気的駆動源とを直列に接続することにより、蓋の未閉鎖状態では前記ロック装置の電気的駆動源への通電が行われないようにしたことを特徴とする（請求項１の発明）。
【発明の効果】
【０００６】
上記手段によれば、蓋閉鎖検知接点とロック装置の電気的駆動源とを直列に接続することにより、蓋の未閉鎖状態ではロック装置の電気的駆動源への通電が行われないようにしているから、蓋が閉鎖されていないときにロック装置が作動してしまうことのないようにすることができる。
【発明を実施するための最良の形態】
【０００７】
以下、本発明の第１実施例（第１の実施形態）につき、図１ないし図１５を参照して説明する。
まず、図２には、洗濯機の外筐１を示しており、最下部の台板１ａと、台板１ａ上に載置結合した外箱１ｂ、及び外箱１ｂに被着結合したトップカバー１ｃから成っている。この外筐１の内部には、図示を省略するが、洗濯槽を配設しており、この洗濯槽は、この場合、外側の水槽と内側の回転槽の二重槽から成っていて、その回転槽を制止させた状態で水槽から回転槽の内部に貯水して洗濯物の洗濯をし、回転槽を回転させることにより洗濯物の脱水をするようになっている。
【０００８】
なお、外筐１の内部には、そのほか、洗濯槽の内部に給水する給水装置、回転槽の内部に配設した洗濯用の撹拌翼と回転槽とを選択的に回転させるモータを主体とした駆動装置、及び洗濯槽の内部から排水する排水装置等をも配設している。
【０００９】
外筐１、特にはトップカバー１ｃには、上記洗濯槽に対する洗濯物出し入れ用の開口部２を形成しており、この開口部２を開閉する例えば二つ折りの蓋３を開口部２の後部で上下回動可能に枢支して設けている。一方、トップカバー１ｃの前部には、使用者が洗濯機の運転に係る操作をするための操作パネル４を設けており、これの図で右側部の下方（トップカバー１ｃの内部）にロック装置５を設けている。
【００１０】
図３ないし図５はロック装置５を単体で示しており、下ケース６ａ（図４及び図５参照）及びこれに結合した上ケース６ｂから成るケース６を外殻としている。このケース６内には、まず、駆動部７を配設している。この駆動部７は、この場合、ほゞ八角形の内部ケース８の内部に、電気的駆動源として図１及び図９に示すモータ９を配設すると共に、このモータ９の回転動力を減速して伝達するギヤ機構（図示省略）を配設し、内部ケース８の上面部に、ギヤ機構で伝達された回転動力で回転される、この場合、円盤形のクランク１０を配設して成るもので、クランク１０は上面の偏心位置に突起１０ａを有している。
【００１１】
ケース６内には、そのほか、上記クランク１０上の位置からケース６の左側部にかけて拘束体１１を配設している。この拘束体１１は、図４に示すように、Ｌ字形のベース部１１ａの図中左側の先端部に突出部１１ｂを有して成るもので、ベース部１１ａの前記クランク１０上の部分には、この場合、四角形の孔にて受け部１２を形成し、この受け部１２内に前記クランク１０の突起１０ａを位置させている。これに対して、突出部１１ｂの先端部には、斜め上向きの斜面部１３を形成しており、この斜面部１３の部分を、ケース６の左側部に形成した孔１４中に位置させている。
【００１２】
又、ケース６内の、前記駆動部７を配設した部分近くに形成した障壁１５と、拘束体１１のベース部１１ａの上記突出部１１ｂを形成した部分との間には、スプリング（圧縮コイルスプリング）１６を介在させて、拘束体１１を常時は駆動部７から離間する方向に付勢するようにしている。
【００１３】
拘束体１１には、更に、ベース部１１ａの上記突出部１１ｂを形成した部分とは反対側の部分（前記受け部１２側の端部）の側面部に、図３に示す突部１７を形成し、これに、前記内部ケース８上に配設したロック検知手段であるロック検知接点１８の可動側接片１８ａの突部１９を対応させている。ロック検知接点１８は、可動側接片１８ａに対応してその側方に固定側接片１８ｂを有しており、これらの接片１８ａ，１８ｂの先端部対向面にはそれぞれコンタクト部２０，２１を設けている。なお、２２，２３は、内部ケース８上にあって接片１８ａ，１８ｂの基端部をそれぞれに支持した支持部を示している。
【００１４】
そして、ケース６の、前記駆動部７と、拘束体１１、スプリング１６、及びロック検知接点１８を配設した部分は、図３に示す仕切壁２４によって、そのほかの部分と隔絶しており、この隔絶されたそのほかの部分には、拘束体１１と並べて蓋閉鎖検知接点２５を配設している。この蓋閉鎖検知接点２５は、図５に示すように、下側に突部２６を有する可動側接片２５ａと、これに対応してその上方に配設した固定側接片２５ｂから成っており、それらの接片２５ａ，２５ｂの先端部対向面にはそれぞれコンタクト部２７，２８を設けている。なお、２９，３０は、仕切壁２４の前面にあって接片１８ａ，１８ｂの基端部をそれぞれに支持した支持部を示している。
【００１５】
更に、３１は、下ケース６ａの上記蓋閉鎖検知接点２５を配設した部分の下方底部に形成した開口を示しており、この開口３１の下方には、図５に示す支持壁３２と図４に示す支持壁３３とを開口３１を挟んで対称的に形成している。これらの支持壁３２，３３間には、蓋閉鎖検知レバー３４を軸部３４ａで上下回動（時計回り及び反時計回り）可能に架設しており、この蓋閉鎖検知レバー３４の形状を図６ないし図８に示す。
【００１６】
すなわち、蓋閉鎖検知レバー３４は、軸部３４ａの片側（支持壁３２側）に概ね扇形の接点操作部３４ｂを有しており、それとは反対側（支持壁３３側）にＬ字形のアーム部３４ｃを有していて、軸部３４ａの両端径小部３４ａ１，３４ａ２を上記支持壁３２，３３にそれぞれ挿通して架設している。又、接点操作部３４ｂには、上部に突部３５を形成し、この突部３５を、図５に示すように、前記下ケース６ａの開口３１から下ケース６ａ内に位置させて、前記蓋閉鎖検知接点２５の可動側接片２５ａの突部２６に対応させている。
【００１７】
更に、接点操作部３４ｂの上部には、上記突部３５より蓋閉鎖検知接点２５の前記支持部２９，３０側に円弧状の突出部３６を形成していて、これを前記下ケース６ａの開口３１に近接させて臨ませ、蓋閉鎖検知レバー３４が回動するときに開口３１を該突出部３６により覆い続けて、下方からのもっぱら蒸気の浸入を阻止するようにしている。又、接点操作部３４ｂとケース６の下方に突設したばね掛け部３７との間にはスプリング（引張コイルスプリング）３８を張設していて、これにより、蓋閉鎖検知レバー３４の全体を図５で時計回りの方向に付勢している。
【００１８】
加えて、蓋閉鎖検知レバー３４のアーム部３４ｃの軸部３４ａ近くの部分には、その全周に渡って外方に突出するリブにより堤部３９を形成している。又、このアーム部３４ｃの先端部は、前記ケース６の孔１４より外側の直下に位置している（図３参照）。
【００１９】
このほか、ケース６には、前記蓋閉鎖検知接点２５を配設した部分の近傍に、接続部４０を形成している。この接続部４０は、前記駆動部７のモータ９と、ロック検知接点１８、及び蓋閉鎖検知接点２５を外部接続するためのもので、全体に下ケース６ａの底部から内側へ窪み状に形成され、従って、下向きに開口していて、複数の仕切壁４１により仕切った小室４２の各内部に接続端子４３をいずれも下向きに設け、それらに下方から挿入するコネクタ（図示省略）を挿着して接続するようになっている。
【００２０】
これらに対して、図４及び図５で、４４は前記蓋３に設けた係合部を、蓋３の閉鎖途中の位置で示しており、この係合部４４は、詳細には、蓋３の前部の裏面に下方へ向け突設していて、中間部に孔４５を有しており、先端部に前記拘束体１１の斜面部１３に対応する斜め下向きの斜面部４６を形成している。なお、この係合部４４に対応して、前記トップカバー１ｃには、蓋３の閉鎖時に該係合部４４が通る孔（図示省略）を形成していて、その孔の直下に前記ロック装置５が位置し、特には前記蓋閉鎖検知レバー３４のアーム部３４ｃの先端部が位置している。
【００２１】
図９は、前記ロック装置５に係る部分の電気的構成を示しており、前記駆動部７のモータ９と蓋閉鎖検知接点２５とを直列に接続し、この直列接続路と並列にロック検知接点１８を接続している。そして、前記接続部４０（コネクタ）により、モータ９と蓋閉鎖検知接点２５との直列接続路には、外部回路４７の、特にはトライアック４８を接続すると共に、それと並列の抵抗４９、抵抗５０、ダイオード５１の直列接続路を接続し、ロック検知接点１８には、抵抗５２、抵抗５３、ダイオード５４の直列接続路を接続している。
【００２２】
又、外部回路４７においては、上記抵抗４９と抵抗５０との間に第１のｐｎｐ形トランジスタ５５のベースＢを接続しており、該トランジスタ５５のエミッタＥを電源Ｖに、コレクタＣを、マイクロコンピュータから成る制御装置（図示省略）の蓋閉鎖検知入力ポートＰ１に接続している。一方、抵抗５２と抵抗５３との間に第２のｐｎｐ形トランジスタ５６のベースＢを接続しており、該トランジスタ５５のエミッタＥを電源Ｖに、コレクタＣを、上記制御装置のロック検知入力ポートＰ２に接続している。
そして、前記トライアック４８のゲートＧには、上記制御装置のロック出力ポートＰ３を接続している。
【００２３】
図１は、ロック装置５部分のみの電気的構成を示しており、この図１からも明らかなように、前記駆動部７のモータ９と蓋閉鎖検知接点２５とを直列に接続し、この直列接続路と並列にロック検知接点１８を接続している。
【００２４】
次に、上記構成のものの作用を述べる。
蓋３が閉鎖される前、ロック装置５は図３ないし図５に示した状態にある。すなわち、スプリング３８により図５で時計回りの方向に付勢された蓋閉鎖検知レバー３４が、アーム部３４ｃの先端部をケース６の孔１４より外側の直下に位置させている。又、このとき、蓋閉鎖検知接点２５は、可動側接片２５ａの突部２６が蓋閉鎖検知レバー３４の接点操作部３４ｂの突部３５に乗り上げず、コンタクト部２７を固定側接片２５ｂのコンタクト部２８から離間させて、非作動状態にある。
【００２５】
更に、拘束体１１は、駆動部７のクランク１０の突起１０ａにより、受け部１２の後辺部を押されて、スプリング１６の付勢力に抗し、ケース６内に後退され、突出部１１ｂの先端部をケース６の孔１４中に位置させている。従って又、このとき、ロック検知接点１８は、可動側接片１８ａの突部１９が拘束体１１の突部１７に乗り上げず、コンタクト部２０を固定側接片１８ｂのコンタクト部２１から離間させて、非作動状態にある。
なお、このとき、上記ケース６の孔１４中に位置した拘束体１１の突出部１１ｂの先端部に存する斜面部１３には、蓋３の係合部４４の斜面部４６が対向する状態にある。
【００２６】
さて、この状態から、蓋３が閉鎖されると、係合部４４がトップカバー１ｃに形成した孔を通って外筐１内に進入し、図１０に示すように、孔４５をケース６の孔１４（拘束体１１の突出部１１ｂの先端部）に臨ませると共に、蓋閉鎖検知レバー３４のアーム部３４ｃの先端部に当たってこれを押し下げる。従って、蓋閉鎖検知レバー３４はスプリング３８の付勢力に抗して図１０で反時計回りに回動する。このため、蓋閉鎖検知接点２５は、可動側接片２５ａの突部２６が蓋閉鎖検知レバー３４の接点操作部３４ｂの突部３５に乗り上げ、コンタクト部２７を固定側接片２５ｂのコンタクト部２８に接触させて、作動状態となる。
【００２７】
これに対して、外部回路４７では、電源Ｖから、抵抗４９、抵抗５０、ダイオード５１を通じて、蓋閉鎖検知接点２５及び駆動部７のモータ９の接続路に、モータ９が作動しない程度の微電流を流す。これにより、抵抗４９の両端に電位が発生し、第１のトランジスタ５５のエミッタＥ−ベースＢ間に電流が流れ、該第１のトランジスタ５５のエミッタＥ−コレクタＣ間が導通するので、蓋検知信号が発生し、それが制御装置の蓋閉鎖検知入力ポートＰ１から制御装置に入力される。
【００２８】
制御装置は、上記蓋検知信号の入力に基づいて、ロック出力ポートＰ３からロック出力信号を出力し、それがトライアック４８のゲートＧに与えられることによって、トライアック４８が導通する。すると、電源Ｖからは、トライアック４８及び蓋閉鎖検知接点２５を通じて、駆動部７のモータ９にこれを作動させるに充分な電流が流れ、それによってモータ９が作動する。
【００２９】
すると、駆動部７では、モータ９の回転動力がギヤ機構を介してクランク１０に伝達されることにより、クランク１０が適度な速度で回転し、突起１０ａによる拘束体１１の受け部１２の後辺部の前記押圧を解除する。それに伴い、拘束体１１は、スプリング１６の付勢力によってケース６外に向かって前進し、図１１に示すように、突出部１１ｂの先端部をケース６の孔１４からケース６外に突出させる。従って、このときに、モータ９とスプリング１６は拘束体１１を駆動する駆動手段として機能する。そして、その突出位置で、突出部１１ｂの先端部は、ケース６の孔１４に臨んだ係合部４４の孔４５内に進入し、係合部４４と係合する。かくして、蓋３が閉鎖状態に拘束（ロック）される。
【００３０】
又、このように拘束体１１が係合部４４と係合するまで前進すれば、ロック検知接点１８は、図１２に示すように、可動側接片１８ａの突部１９が拘束体１１の突部１７に乗り上げ、コンタクト部２０を固定側接片１８ｂのコンタクト部２１に接触させて、作動状態となる。
【００３１】
これに対して、外部回路４７では、電源Ｖから、抵抗５２、抵抗５３、ダイオード５４、及びロック検知接点１８を通じて微電流が流れ、これにより、抵抗５２の両端に電位が発生し、第２のトランジスタ５６のエミッタＥ−ベースＢ間に電流が流れ、該第２のトランジスタ５６のエミッタＥ−コレクタＣ間が導通するので、ロック検知信号が発生し、それが制御装置のロック検知入力ポートＰ２から制御装置に入力される。
【００３２】
制御装置は、上記ロック検知信号の入力に基づいて、ロック出力ポートＰ３から前記トライアック４８のゲートＧに与えたロック検知信号を停止し、それによって、トライアック４８が遮断される。よって、電源Ｖからトライアック４８及び蓋閉鎖検知接点２５を通じて駆動部７のモータ９に流れた電流が断たれ、それによってモータ９が作動を停止する。すなわち、前記蓋３の閉鎖拘束状態が維持される。
【００３３】
なお、閉鎖状態に拘束した蓋３を開放させるときには、制御装置が、ロック出力ポートＰ３からロック出力信号（この場合、ロック解除信号）を出力することにより、前述同様にトライアック４８が導通して、蓋閉鎖検知接点２５を通じ、駆動部７のモータ９にこれを作動させるに充分な電流が流れるので、モータ９が作動する。よって、駆動部７では、クランク１０が適度な速度で前述と同方向に回転し、突起１０ａによって拘束体１１の受け部１２の後辺部を押圧するから、それに伴い、拘束体１１は、図３及び図４に示したように、スプリング１６の付勢力に抗し、ケース６内に後退され、突出部１１ｂの先端部をケース６の孔１４中に位置させる状態に戻る。
【００３４】
かくして、拘束体１１の突出部１１ｂの先端部が係合部４４の孔４５から離脱し、蓋３が閉鎖拘束状態から解放されるので、その後、蓋３を引き上げて開放させれば良い。又、それに伴い、蓋閉鎖検知接点２５は、可動側接片２５ａの突部２６が蓋閉鎖検知レバー３４の接点操作部３４ｂの突部３５から降下し、コンタクト部２７を固定側接片２５ｂのコンタクト部２８から離間させて、非作動状態に戻る。更に、ロック検知接点１８も、可動側接片１８ａの突部１９が拘束体１１の突部１７から降下し、コンタクト部２０を固定側接片１８ｂのコンタクト部２１から離間させて、非作動状態に戻る。
【００３５】
このように本構成のものでは、蓋３の閉鎖を、外筐１の内部への蓋３の係合部４４の進入に応動する蓋閉鎖検知レバー３４を介して蓋閉鎖検知接点２５により検知し、そして、蓋３を閉鎖状態に拘束する拘束体１１をロック装置５が電気的駆動源であるモータ９で駆動するものであって、その蓋閉鎖検知接点２５とロック装置５のモータ９とを直列に接続していて、蓋３の未閉鎖状態ではロック装置５のモータ９への通電が行われないようにしている。
【００３６】
これにより、蓋３が閉鎖されていないときに、制御装置が誤動作してロック出力ポートＰ３からロック出力信号を出力するようなことがあっても、ロック装置５が作動してしまうことはなく、よって、その後に蓋３が閉鎖されたとき、既に作動したロック装置５に干渉されて蓋３を閉鎖状態に拘束できないということを回避することができる。
【００３７】
又、特に本構成のものの場合、ロック装置５の電気的駆動源をモータ９としている。これにより、蓋３の閉鎖拘束が静かにできる。
更に、本構成のものの場合、蓋閉鎖検知接点２５とロック装置５のモータ（電気的駆動源）９との直列接続路に、その電気的駆動源が作動しない程度の微電流を流すことによって、蓋３の閉鎖状態の確認をするようにしている。これにより、蓋閉鎖検知接点２５とロック装置５のモータ９との直列接続路を利用して、蓋３の閉鎖状態の確認をし、その上で蓋３の閉鎖拘束ができるので、蓋３の閉鎖拘束がより確実に、しかも合理的にできる。
【００３８】
加えて、本構成のものの場合、蓋３の開放時に、拘束体１１の先端部である突出部１１ｂの先端部と蓋３の係合部４４の先端部とが、その双方に形成した斜面部１３，４６で対向するようにしている。これにより、本来、蓋３が閉鎖されていないときには、上述のように、制御装置が誤動作してロック出力ポートＰ３からロック出力信号を出力するようなことがあってもロック装置５が作動してしまうことはないものの、何らかの事情で万一ロック装置５が作動してしまった場合でも、蓋３を閉鎖状態に拘束することができる。
【００３９】
図１３ないし図１５はこのことを説明するためのもので、先にロック装置５の拘束体１１が突出部１１ｂの先端部をケース６の孔１４からケース６外に突出させた状態（ロック装置５が作動した状態）で、その後、蓋３が閉鎖されて係合部４４が外筐１内に進入すると、図１３に示すように、拘束体１１の突出部１１ｂの先端部には、斜面部１３に、係合部４４の先端部の斜面部４６が当たる。
この後、外筐１内への係合部４４の進入が進むことによって、図１４に示すように、係合部４４の斜面部４６で斜面部１３を押される拘束体１１は、その斜面部４６，１３による分力で、スプリング１６の付勢力に抗しケース６内に向かって後退する。
【００４０】
そして、更に外筐１内への係合部４４の進入が進むことによって、図１５に示すように、係合部４４は斜面部４６が拘束体１１の斜面部１３を越え、孔４５を拘束体１１の突出部１１ｂの先端部に合致させるようになる。このようになると、拘束体１１の突出部１１ｂの先端部は、スプリング１６の付勢力によって係合部４４の孔４５内に進入し、係合部４４と係合する。
かくして、蓋３が閉鎖されていないときに、何らかの事情で万一ロック装置５が作動してしまった場合でも、蓋３を閉鎖状態に拘束することができる。
【００４１】
なお、この場合、拘束体１１の斜面部１３と係合部４４の斜面部４６とは、その双方を具えるものに限られず、そのうちの少なくとも一方のみを具えるだけでも良い。但し、双方を具えたものの場合には、係合部４４との摺接による拘束体１１の移動距離を大きく確保できる利点がある。
【００４２】
更に、本構成のものの場合、蓋閉鎖検知レバー３４が、先端部と支点部との間である、アーム部３４ｃの軸部３４ａ近くの部分に堤部３９を有するようにしている。これにより、蓋閉鎖検知レバー３４の先端部から支点部への液体の進入を阻止することができ、その液体（もっぱら洗濯で扱われる水）に伴われて洗剤等が蓋閉鎖検知レバー３４の支点部（軸部３４ａ）の部分に至って蓋閉鎖検知レバー３４の動きに支障を与えるとか、更には、その液体が蓋閉鎖検知接点２５部分に至ってこれの電気的絶縁性を損ねるとかいった不具合を来たさないようにできる。
【００４３】
そのほか、蓋閉鎖検知レバー３４とこれを付勢するスプリング３８とをロック装置５の下方に配設しており、これによって、それら蓋閉鎖検知レバー３４及びスプリング３８への上方からの液かかりもロック装置５（ケース６）によって防止することができる。
【００４４】
又、ロック装置５には、駆動部７のモータ９と、ロック検知接点１８、及び蓋閉鎖検知接点２５を外部接続するための接続部４０を下向きに開口させて形成し、その内部に接続端子４３をいずれも下向きに設けている。これによっても、その接続端子４３への上方からの液かかりをロック装置５（ケース６）によって防止することができ、接続端子４３に接続するコネクタから延びるリード線等を伝う液体が接続端子４３の部分に至ることも防止できる。
【００４５】
以上に対して、図１６ないし図１９は本発明の第２及び第３実施例（第２及び第３の実施形態）を示すもので、それぞれ、第１実施例と同一の部分には同一の符号を付して説明を省略し、異なる部分についてのみ述べる。
【００４６】
［第２実施例］
図１６及び図１７に示す第２実施例においては、拘束体１１の受け部１２に切欠部６１を形成している。これにより、受け部６１に摺接するロック装置５の授動部であるクランク１０の突起１０ａがその切欠部６１に達したときに、図１７に矢印で示すように、拘束体１１が突起１０ａによる規制から解放されてスプリング１６の付勢力により係合部４４と係合する位置に急進する。
【００４７】
その拘束体１１が急進する時点を、係合部４４に拘束体１１が係合する時点に合致させることにより、拘束体１１の、係合部４４との係合（蓋３の閉鎖拘束）を素早く行うことができる。
【００４８】
［第３実施例］
図１８及び図１９に示す第３実施例においては、拘束体１１の受け部１２、特にそれの反先端部側部分に円弧部７１を形成している。その円弧部７１は上記ロック装置５におけるクランク１０の突起１０ａの移動軌跡に沿うものであり、従って、この円弧部７１の内周部を突起１０ａが移動するとき、図１８及び図１９に示すように、拘束体１１は動かず、突起１０ａが円弧部７１から反対側の直線部に向かって移動するときに、スプリング１６の付勢力により係合部４４と係合する位置に進行する。
【００４９】
よって、このものでも、拘束体１１が進行する時点を、係合部４４に拘束体１１が係合する時点に合致させることにより、拘束体１１の、係合部４４との係合（蓋３の閉鎖拘束）を、拘束体１１の停止、進行の別を明確にして行うことができる。
【００５０】
このほか、本発明は上記し且つ図面に示した実施例にのみ限定されるものではなく、特に、駆動部７の電気的駆動源はモータ９に代えてソレノイドを使用するようにしても良いなど、要旨を逸脱しない範囲内で適宜変更して実施し得る。
【図面の簡単な説明】
【００５１】
【図１】本発明の第１実施例を示す主要部分の電気回路図
【図２】洗濯機全体の外観斜視図
【図３】ロック装置の横断面図
【図４】図３のＷ−Ｗ線に沿う断面図
【図５】図３のＸ−Ｘ線に沿う断面図
【図６】蓋閉鎖検知レバーの側面図
【図７】図６の矢印Ｙ方向から見た平面図
【図８】図６の矢印Ｚ方向から見た下面図
【図９】主要部分とそれに係る部分の電気回路図
【図１０】作用を説明するための図５相当図その１
【図１１】作用を説明するための図５相当図その２
【図１２】作用を説明するための図３相当図
【図１３】作用を説明するための図４相当図その１
【図１４】作用を説明するための図４相当図その２
【図１５】作用を説明するための図４相当図その３
【図１６】本発明の第２実施例を示す図３相当図
【図１７】作用を説明するための図１６相当図
【図１８】本発明の第３実施例を示す図３相当図
【図１９】作用を説明するための図１８相当図
【符号の説明】
【００５２】
図面中、１は外筐、２は開口部、３は蓋、５はロック装置、９はモータ（電気的駆動源）、１０ａは突起（ロック装置の授動部）、１１は拘束体、１２は受け部、１３は斜面部、１６はスプリング、１８はロック検知接点（ロック検知手段）、２５は蓋閉鎖検知接点、３４は蓋閉鎖検知レバー、３９は堤部、４４は係合部、４６は斜面部、６１は切欠部、７１は円弧部を示す。
【図１】
0004881264.tif 000002
【図２】
0004881264.tif 000003
【図３】
0004881264.tif 000004
【図４】
0004881264.tif 000005
【図５】
0004881264.tif 000006
【図６】
0004881264.tif 000007
【図７】
0004881264.tif 000008
【図８】
0004881264.tif 000009
【図９】
0004881264.tif 000010
【図１０】
0004881264.tif 000011
【図１１】
0004881264.tif 000012
【図１２】
0004881264.tif 000013
【図１３】
0004881264.tif 000014
【図１４】
0004881264.tif 000015
【図１５】
0004881264.tif 000016
【図１６】
0004881264.tif 000017
【図１７】
0004881264.tif 000018
【図１８】
0004881264.tif 000019
【図１９】
0004881264.tif 000020